(57)【要約】【課題】３次元表示可能な電子地図データにおいて、リアリティを損ねることなく、視覚的に情報提供を行う。【解決手段】電子地図データ供給装置は、ナビゲーション装置に、建物や道路などの固定物を３次元的に表示するための固定物データと、車両や立て看板などの可動物を３次元的に表示するための可動物データと、電子地図データの閲覧者に可動物の少なくとも一部と一体化された状態で視覚的に提供されるべき付加情報を記憶した付加情報データとを備えるデータ構造を有する３次元表示可能な電子地図データを配信する。【選択図】図６
2010286496.tif 000002
【特許請求の範囲】
【請求項１】
電子地図を３次元的に表示するための電子地図データのデータ構造であって、
前記電子地図データは、宣伝、広告、建物の名称、地形または天候に関する付加情報を表現する付加情報データと、実在する固定物とともに配置される可動物を前記付加情報が一体化された状態で表現する可動物データと、を含み、
コンピュータは、前記付加情報の要求に応じて前記付加情報データおよび前記可動物データを抽出して表示する
電子地図データのデータ構造。
【請求項２】
表示装置に対し、電子地図を３次元的に表示するための電子地図データを供給する電子地図データ供給装置であって、
宣伝、広告、建物の名称、地形または天候に関する付加情報を表現する付加情報データを記憶する付加情報データ記憶部と、
実在する固定物とともに配置される可動物を前記付加情報が一体化された状態で表現する可動物データを記憶する可動物データ記憶部と、
前記付加情報の要求を受信し、該要求に応じて抽出された前記付加情報データおよび前記可動物データを前記表示装置に送信する通信部と、
を備える電子地図データ供給装置。
【請求項３】
画面を表示する表示パネルと、電子地図を３次元的に表示するための電子地図データに基づいて前記表示パネルに表示すべき画面を制御する制御ユニットと、を備える地図表示装置であって、
前記電子地図データは、宣伝、広告、建物の名称、地形または天候に関する付加情報を表現する付加情報データと、実在する固定物とともに配置される可動物を前記付加情報が一体化された状態で表現する可動物データと、を含み、
前記制御ユニットは、前記付加情報の要求に応じて抽出された前記付加情報データおよび前記可動物データが表示されるように前記画面を制御する
地図表示装置。
【発明の詳細な説明】
【技術分野】
【０００１】
本発明は、３次元表示可能な電子地図データを利用した情報提供に関する。
【背景技術】
【０００２】
従来、商品やサービスの宣伝・広告の手法は多様化している。商品等の宣伝・広告は、一般に、テレビ、ラジオ、新聞、雑誌等の媒体を介して、あるいは、広告看板を用いて行われる。近年では、インターネットの普及に伴い、電子データを用いた宣伝・広告も普及している。電子データを用いた宣伝・広告としては、例えば、Ｗｅｂページ上に表示される文字広告や、いわゆるバナー広告や、動画広告や、コンピュータグラフィックスを用いた３次元画像による広告などが挙げられる。
【０００３】
ところで、３次元画像は、空間を立体的に表現することができるので、仮想空間を表現したり、現実の空間をシミュレーションしたりするのに用いられる。特に、３次元画像は、コンピュータゲームの画像や、バーチャル・リアリティを利用した各種シミュレーション用の画像等に応用されている。３次元画像は、また、コンピュータで利用可能に電子化された電子地図にも利用されている。電子地図に３次元画像を用いることによって、街の鳥瞰や立体交差をリアルに表現することができる。３次元画像を用いた電子地図は、このリアリティに基づき、地図の把握がし易いという利点がある。
【発明の概要】
【発明が解決しようとする課題】
【０００４】
近年では、３次元画像を用いた電子地図上で宣伝・広告を行うことが検討されている。この宣伝・広告では、電子地図上に広告看板を設けることが考えられる。しかし、現実とは異なる看板を建物に取り付けるなど、無制限に広告看板を設けることは、表示される街の景観や、リアリティを損ねてしまうという課題があった。特に、経路探索や経路誘導を行うナビゲーション装置で利用される電子地図データにおいては、看過できない課題であった。ユーザは、ナビゲーション装置に表示される画像と、現実に自分の目で見る光景とが異なると、違和感を覚えたり、経路が間違っているのではないかという不安感を感じたりするからである。
【０００５】
本発明は、上述の課題を解決するためになされたものであり、３次元表示可能な電子地図データにおいて、リアリティを損ねることなく、視覚的に情報提供を行う技術を提供することを目的とする。
【課題を解決するための手段】
【０００６】
上述の課題の少なくとも一部を解決するため、本発明では、以下の構成を採用した。
本発明の電子地図データのデータ構造は、
３次元表示可能な電子地図データのデータ構造であって、
固定物を３次元的に表示するための固定物データと、
可動物を３次元的に表示するための可動物データと、
電子地図データの閲覧者に前記可動物の少なくとも一部と一体化された状態で視覚的に提供されるべき付加情報を記憶した付加情報データと、
を備えることを要旨とする。
【０００７】
ここで、「電子地図データ」とは、現実の世界に基づいて生成された地図データを意味しており、コンピュータゲーム等における完全に仮想的な世界の地図は含まない。電子地図データには、全国地図や、市街地図など、広い領域を表す地図データの他、建物の内部の地図や、地下街の地図など、狭い領域を表す地図データが含まれる。「固定物」とは、容易に移動、変更されないものを意味している。固定物には、例えば、道路、建物、建物に取り付けられた看板、河川、橋などが含まれる。この固定物は、主として現実の世界に実際に存在するものである。「可動物」とは、容易に移動可能なもの、あるいは、動くものを意味している。可動物には、例えば、人間、動物、走行中あるいは駐車中の車両、立て看板、航空機、船、アドバルーン、雲などが含まれる。この可動物は、現実の世界には実際には配置されていない仮想的なものであってもよい。
【０００８】
本発明の電子地図データには、固定物データの他に、可動物を３次元的に表すための可動物データと、付加情報データとが含まれる。３次元的に表示される電子地図において、固定物は、地図の閲覧者が最も着目するものであり、リアリティに大きな影響を及ぼす。これに対し、可動物は、一般に、固定物ほどリアリティに影響を及ぼさない。つまり、３次元的に表示される電子地図データにおいて、現実と異なる可動物が表示されたとしても、地図のリアリティを損ねない。本発明では、この可動物の少なくとも一部と一体化された状態で、付加情報が提供される。
【０００９】
こうすることによって、電子地図データの閲覧者に対して、リアリティを損ねることなく、視覚的に付加情報の提供を行うことができる。なお、付加情報データと可動物データとは、別個に用意されていてもよいし、それぞれ識別可能に一体的に用意されていてもよい。また、付加情報データと可動物データとは、必ずしも１対１に対応していなくてもよい。例えば、１つの付加情報データが複数の可動物データと対応していてもよいし、複数の付加情報データが１つの可動物データと対応していてもよい。
【００１０】
上記データ構造において、地図の表示に直接的に寄与しない付加情報としては、建物等の名称や、地形（標高、河川の長さ等）、天候（天気予報、気温、紫外線情報、花粉情報等）に関する情報など、種々の情報が挙げられるが、例えば、
前記付加情報は、宣伝・広告のための情報であるものとすることができる。
【００１１】
こうすることによって、リアリティを損ねることなく宣伝・広告を行うことができる。
【００１２】
また、本発明のデータ構造において、
前記可動物データおよび付加情報データの少なくとも一方には、該データに基づく表示を行うために満足すべき表示条件が対応付けられているものとすることが好ましい。
【００１３】
こうすることによって、表示条件に応じて、可動物データや付加情報データを容易に抽出して、情報提供、例えば、宣伝・広告を効果的に行うことができる。表示条件としては、例えば、表示すべき地域、縮尺、電子地図データを利用する時間、ユーザからの付加情報データの要否などが挙げられる。
【００１４】
本発明は、電子地図データ供給装置の発明として構成することもできる。
即ち、本発明の電子地図データ供給装置は、
電子地図の表示装置に対し、３次元表示可能な電子地図データを供給する電子地図データ供給装置であって、
固定物を３次元的に表示するための固定物データを記憶する固定物データ記憶部と、
可動物を３次元的に表示するための可動物データを記憶する可動物データ記憶部と、
前記表示装置からの前記電子地図の表示要求を入力する入力部と、
該表示要求に基づいて、前記可動物の表示の可否、および前記電子地図データに基づいて生成される３次元仮想空間内における位置を特定する可動物表示制御部と、
前記特定された結果および前記表示要求に基づいて、前記固定物データおよび可動物データを前記表示装置に出力する出力部と、
を備えることを要旨とする。
【００１５】
こうすることによって、表示装置からの表示要求に基づいて、可動物を表示するか否か、および、可動物を地図上のどこに表示させるかを特定し、固定物データおよび可動物データを表示装置に供給することができる。なお、可動物データは、上述した付加情報データを伴っていてもよいし、伴っていなくてもよい。可動物の形状自体が宣伝・広告等、付加情報としての機能を有していてもよい。
【００１６】
上記電子地図データ供給装置において、
前記表示装置は、例えば、目的地までの経路を表示の基準位置に応じて表示する経路表示装置であり、
前記電子地図において表示すべき経路を予め記憶する経路記憶部を備え、
前記表示要求には、前記基準位置が含まれ、
前記可動物表示制御部は、前記基準位置および前記経路に基づいて、前記表示位置を特定するものとすることができる。
【００１７】
ここで、「表示の基準位置」とは、いわゆる表示時の視点に相当し、任意に設定可能である。例えば、表示装置がナビゲーション装置である場合には、表示装置の現在地や、目的地へ向かう出発地が基準位置に相当する。経路記憶部は、予め手動で指定された経路を記憶していてもよいし、経路探索を行った結果を記憶してもよい。本発明では、表示装置からの表示要求には、基準位置が含まれており、可動物表示制御部が、基準位置および経路に基づいて、可動物の表示位置を特定する。従って、経路表示装置に固定物および可動物を基準位置に応じた適切な位置に表示させることができる。例えば、表示装置がいわゆるカーナビゲーション装置の場合、車両の移動とともに可動物が視野から外れずに表示されるように制御することができる。
【００１８】
なお、本発明における可動物としては、目的地までの経路誘導を行う先導車や、行き先表示などが挙げられる。例えば、目的地が動物園である場合、動物園までの経路誘導を、車両や、動物が行うようにしてもよい。また、経路上の交差点ごとに立て看板を立てたり、アドバルーンを設置したりして、行き先表示するようにしてもよい。
【００１９】
また、本発明は、地図表示装置の発明として構成することもできる。即ち、
本発明の地図表示装置は、
３次元表示可能な電子地図データに基づいて、電子地図を３次元表示する地図表示装置であって、
前記電子地図データは、
固定物を３次元的に表示するための固定物データと、
可動物を３次元的に表示するための可動物データと、
電子地図データの閲覧者に前記可動物の少なくとも一部と一体化された状態で視覚的に提供されるべき付加情報を記憶した付加情報データと、を備え、
前記電子地図データを参照する参照部と、
前記付加情報データが前記可動物データと一体化された状態で、前記電子地図データを３次元的に表示する表示部と、
を備えることを要旨とする。
【００２０】
こうすることによって、地図のリアリティを維持しつつ、固定物、可動物、付加情報を含む電子地図データを３次元的に表示することができる。なお、参照部が参照する電子地図データは、先に説明した本発明の電子地図データ供給装置から供給されるデータであってもよいし、先に説明した本発明の電子地図データを記録した記録媒体から供給されるデータであってもよい。
【００２１】
上記地図表示装置において、更に、
前記付加情報の表示可否に関するユーザの指示を入力する指示入力部を備え、
前記表示部は、前記指示に基づいて、前記付加情報の表示可否を切り換えるようにすることができることが好ましい。
【００２２】
こうすることによって、地図表示装置の利便性を向上させることができる。なお、地図表示装置は、インターネットなどのネットワークを介して、所定のサーバから電子地図データをダウンロードするものとしてもよい。このような地図表示装置では、例えば、地図表示装置が付加情報として宣伝・広告のための情報をダウンロードする場合には、通信料金がディスカウントされる等の特典が得られるようにしたり、ユーザに有益な情報をダウンロードする場合には、別途課金されるようにしたりするなどの情報提供の態様が考えられる。
【００２３】
本発明は、上述の電子地図データのデータ構造、電子地図データ供給装置、地図表示装置としての構成の他、電子地図データの供給方法、電子地図の表示方法の発明として構成することもできる。また、これらを実現するコンピュータプログラム、およびそのプログラム、電子地図データを記録した記録媒体、そのプログラムを含み搬送波内に具現化されたデータ信号など種々の態様で実現することが可能である。なお、それぞれの態様において、先に示した種々の付加的要素を適用することが可能である。
【００２４】
本発明をコンピュータプログラムまたはそのプログラム、電子地図データを記録した記録媒体等として構成する場合には、電子地図データ供給装置、地図表示装置を駆動するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【図面の簡単な説明】
【００２５】
【図１】実施例としてのナビゲーションシステム１０００の概略構成を示す説明図である。
【図２】地図配信サーバ１００の構成を示す説明図である。
【図３】可動物データ記憶部１４０に記憶される可動物データ、および、付加情報データ記憶部１５０に記憶される付加情報データの一例を示す説明図である。
【図４】第１実施例のナビゲーション装置２００の構成を示す説明図である。
【図５】付加情報データの要否、表示の可否の指示を入力するためのグラフィカル・ユーザ・インタフェースの一例を示す説明図である。
【図６】表示パネル２１０に表示される３次元電子地図データの一例を示す説明図である。
【図７】表示パネル２１０に表示される３次元電子地図データの一例を示す説明図である。
【図８】表示パネル２１０に表示される３次元電子地図データの一例を示す説明図である。
【図９】地図配信サーバ１００における電子地図データの配信の流れを示すフローチャートである。
【図１０】第２実施例のナビゲーションシステム１０００Ａ（ナビゲーション装置２００Ａ）の構成を示す説明図である。
【発明を実施するための形態】
【００２６】
以下、本発明の実施の形態について、実施例に基づき以下の順で説明する。
Ａ．ナビゲーションシステム：
Ｂ．地図配信サーバ：
Ｃ．ナビゲーション装置：
Ｄ．地図配信サーバでの処理：
Ｅ．第２実施例：
Ｆ．変形例：
【００２７】
Ａ．ナビゲーションシステム：
図１は、実施例としてのナビゲーションシステム１０００の概略構成を示す説明図である。本実施例のナビゲーションシステム１０００は、地図配信サーバ１００とナビゲーション装置２００とから構成されている。地図配信サーバ１００とナビゲーション装置２００とは、インターネットＩＮＴを介して接続され、各種データのやり取りを行う。地図配信サーバ１００は、３次元表示可能な電子地図データをナビゲーション装置２００に配信する。ナビゲーション装置２００は、地図配信サーバ１００から受信した電子地図データに基づいて、電子地図を３次元的に表示する。本実施例では、ナビゲーション装置２００は、車両に搭載されるタイプのいわゆるカーナビゲーション装置であるものとした。ナビゲーション装置２００は、車両の移動とともに中継局ＳＴ１，ＳＴ２，ＳＴ３，…と無線通信を行う中継局を切換えつつインターネットＩＮＴに接続される。なお、地図配信サーバ１００は、本発明の電子地図データ供給装置に相当する。ナビゲーション装置２００は、本発明の地図表示装置に相当する。
【００２８】
Ｂ．地図配信サーバ：
図２は、地図配信サーバ１００の構成を示す説明図である。地図配信サーバ１００は、制御部１１０と、通信部１２０と、固定物データ記憶部１３０と、可動物データ記憶部１４０と、付加情報データ記憶部１５０と、経路データ記憶部１６０とを備えている。これらの各機能ブロックは、ソフトウェア的に構築されている。
【００２９】
制御部１１０は、地図配信サーバ１００内の各部の制御を行う。制御部１１０は、また、ナビゲーション装置２００からの表示要求や目的地までの経路に基づいて、後述する可動物の表示の可否および表示位置を特定する。ナビゲーション装置２００からの表示要求には、ナビゲーション装置２００（車両）の現在地や、目的地、付加情報の表示を要求するか否かなどの指示が含まれる。制御部１１０は、本発明の可動物表示制御部に相当する。
【００３０】
通信部１２０は、ナビゲーション装置２００と各種データのやり取りを行う。通信部１２０は、例えば、ナビゲーション装置２００からの表示要求を受信し、これに基づいて抽出された電子地図データをナビゲーション装置２００に送信する。電子地図データには、後述する固定物データと可動物データと付加情報データとが含まれ得る。
【００３１】
固定物データ記憶部１３０は、固定物を３次元的に表示するための固定物データを記憶している。固定物には、例えば、道路、建物、建物に取り付けられた看板、河川、橋などが含まれる。
【００３２】
可動物データ記憶部１４０は、可動物を３次元的に表示するための可動物データを記憶している。可動物には、例えば、人間、動物、走行中あるいは駐車中の車両、立て看板、航空機、船、アドバルーン、雲などが含まれる。この可動物は、現実の世界には実際には配置されていない仮想的なものであってもよい。
【００３３】
付加情報データ記憶部１５０は、付加情報を記憶している。本実施例では、付加情報は、宣伝・広告のための情報であるものとした。付加情報データは、可動物データと対応付けられ、可動物の少なくとも一部と一体化された状態で表示されるように提供される。付加情報には、宣伝・広告のための情報の他に、建物等の名称や、地形（標高、河川の長さ等）、天候（天気予報、気温、紫外線情報、花粉情報等）などに関する情報なども含まれ得る。なお、付加情報データと可動物データとは、必ずしも１対１に対応していなくてもよい。例えば、１つの付加情報データが複数の可動物データと対応していてもよいし、複数の付加情報データが１つの可動物データと対応していてもよい。
【００３４】
また、付加情報は、付加情報に基づく表示を行うために満足すべき表示条件が対応付けられている。表示条件としては、例えば、表示すべき地域、縮尺、電子地図データを利用する時間、ユーザからの付加情報データの要否などが挙げられる。このようにすることによって、例えば、ナビゲーション装置２００の現在地や目的地、あるいは経路に応じて、その地域に対応した宣伝・広告、観光案内などを行うことができる。また、時間に応じた情報提供も可能である。例えば、時間が食事時であれば、レストランや食堂等の宣伝・広告を行うことができる。
【００３５】
図３は、可動物データ記憶部１４０に記憶される可動物データ、および、付加情報データ記憶部１５０に記憶される付加情報データの一例を示す説明図である。図３（ａ）に示すように、可動物データには、各可動物を識別するためのインデックスや、可動物の形状を表すデータや、付加情報との対応付けの可否等に関するデータが記憶されている。また、図３（ｂ）に示すように、付加情報データには、各付加情報を識別するためのインデックスや、表示内容や、対応付けの対象となる可動物等に関するデータが記憶されている。例えば、可動物データのインデックス「Ｍ１」の「車両」は、後に図６に示すように、先導車であり、付加情報との対応付けがなされていない。インデックス「Ｍ２」の「車両」は、新発売の車両であり、その形状自体が宣伝・広告機能を有しているので、付加情報との対応付けがなされていない。また、付加情報データのインデックス「ＡＤ１」の表示内容「○○○」は、複数の可動物、インデックス「Ｍ３」の可動物「飛行船」およびインデックス「Ｍ５」の可動物「バス」と対応付けられている。
【００３６】
なお、固定物データと可動物データと付加情報データとが、本発明の電子地図データのデータ構造に相当する。
【００３７】
経路データ記憶部１６０（図２）は、ナビゲーション装置２００の現在地から目的地までの経路データを記憶している。経路データは、ナビゲーション装置２００の出発地および目的地に基づいてなされた経路探索の結果であり、経路誘導を行うためのデータである。この経路探索は、地図配信サーバ１００で行われる。
【００３８】
なお、固定物データ記憶部１３０、可動物データ記憶部１４０、付加情報データ記憶部１５０、および経路データ記憶部１６０は、地図配信サーバ１００の内部に備えられているものとしたが、外部に備えられるようにしてもよい。
【００３９】
Ｃ．ナビゲーション装置：
図４は、第１実施例のナビゲーション装置２００の構成を示す説明図である。ナビゲーション装置２００は、表示パネル２１０と、操作パネル２２０と、制御ユニット２３０とを備えている。表示パネル２１０は、地図や文字情報やメニュー画面や経路探索の結果などを表示する。操作パネル２２０は、表示パネル２１０に表示された地図上のカーソルの移動や、縮尺の設定・変更、画面のスクロール、目的地に関する情報の入力や、上述した付加情報の表示の可否を含むメニュー画面での各種設定等、ユーザの指示を入力するためのものである。このユーザの指示の入力は、リモート・コントローラ（リモコン）２２５を用いて行うことも可能である。
【００４０】
制御ユニット２３０は、ＣＰＵ、ＲＡＭ、ＲＯＭ等を備えるマイクロコンピュータとして構成されており、制御部２３１と、通信部２３２と、現在地検出部２３３と、コマンド入力部２３４と、表示制御部２３５とを備えている。これらの各機能ブロックは、ソフトウェア的に構成されている。
【００４１】
制御部２３１は、制御ユニット２３０内の各部の制御を行う。通信部２３２は、中継局（図１参照）と無線通信を行い、インターネットＩＮＴを介して、地図配信サーバ１００と各種データのやり取りを行う。現在地検出部２３３は、図示しないＧＰＳアンテナが受信する人工衛星からの電波に基づいて現在位置を検出する。コマンド入力部２３４は、操作パネル２２０やリモコン２２５の操作によるユーザの指示や経路探索における目的地などを入力する。目的地は、例えば、目的地の住所や、名称や、電話番号などによって特定することができる。表示制御部２３５は、表示パネル２１０に表示すべき画面を制御する。
【００４２】
図５は、付加情報データの要否、表示の可否の指示を入力するためのグラフィカル・ユーザ・インタフェースの一例を示す説明図である。付加情報のＯＮ／ＯＦＦ、および付加情報の種類を選択するためのボタンが表示される。本実施例のナビゲーションシステム１０００では、付加情報データとして、「広告」、「有料情報」、「行き先案内」が提供され得る。
【００４３】
付加情報データとして「広告」が提供される場合には、通信料金が安くなるように設定されている。図示したグラフィカル・ユーザ・インタフェースにおいて、「広告」の項目が選択された場合には、地図配信サーバ１００では、通信料金のディスカウント処理が行われる。「有料情報」の項目が選択された場合には、地図配信サーバ１００では、課金処理が行われる。また、「行き先案内」の項目が選択された場合には、経路誘導を行う可動物を表示させることもできる。この可動物としては、目的地までの経路誘導を行う先導車や、行き先表示などが挙げられる。例えば、目的地が動物園である場合、動物園までの経路誘導を車両や、動物が行うようにすることができる。また、経路上の交差点ごとに立て看板を立てるなどして、行き先表示するようにしてもよい。
【００４４】
なお、本実施例では、表示パネル２１０に表示されるグラフィカル・ユーザ・インタフェースによって、付加情報データの要否、表示の可否の指示を入力するものとしたが、操作パネル２２０のボタンによって入力するものとしてもよい。また、図示は省略したが、他の各種設定の入力画面もグラフィカル・ユーザ・インタフェースで提供される。
【００４５】
図６、図７および図８は、表示パネル２１０に表示される３次元電子地図データの一例を示す説明図である。表示パネル２１０には、固定物としての建物や、道路の他に、可動物が表示される。
【００４６】
図６には、可動物として、車両Ｍ１，Ｍ２と、飛行船Ｍ３と、アドバルーンＭ４とを示した。進行方向を示す矢印ＰＡ１も表示させている。車両Ｍ１は、経路誘導を行う先導車である。車両Ｍ２は、新発売の車両である。図３に示したように、車両Ｍ２には付加情報が対応付けられていないが、車両Ｍ２の形状自体が車両の宣伝・広告の機能を有している。飛行船Ｍ３の領域Ｒ３、アドバルーンＭ４の垂れ幕の領域Ｒ４には、付加情報としての商品やサービスにかかる商標や、店の名称などが表示されている。
【００４７】
図７には、可動物として、バスＭ５と、立て看板Ｍ６とを示した。進行方向を示す矢印ＰＡ１も表示させている。バスＭ５の側面の領域Ｒ５には、付加情報としての商品やサービスにかかる商標や、店の名称などが表示されている。立て看板Ｍ６の領域Ｒ６には、行き先が表示されている。
【００４８】
なお、図６および図７には、現実的に存在しうる可動物を電子地図データ中に表示させた例を示したが、非現実的な可動物を表示させるようにしてもよい。例えば、ハンバーガー等の食品が空から降ってくるように表示させてもよいし、また、車両Ｍ１（先導車）の代わりに、アニメのキャラクタなどを表示させてもよい。
【００４９】
図８には、地図を斜め上方から鳥瞰した様子を示した。図示するように、現在地から目的地までの経路における分岐点（交差点）に、目印となる可動物を表示するようにすることもできる。
【００５０】
Ｄ．地図配信サーバでの処理：
図９は、地図配信サーバ１００における電子地図データの配信の流れを示すフローチャートである。まず、ナビゲーション装置２００から出発地や目的地、図５に示した付加情報データの要否など各種設定データを取得する（ステップＳ１００）。次に、ナビゲーション装置２００の出発地および目的地に基づいて固定物データの抽出を行う（ステップＳ１１０）。次に、付加情報の表示の可否、付加情報の要否を判断する（ステップＳ１２０）。付加情報の表示が不可である場合には、固定物データを配信して（ステップＳ２００）、処理を終了する。なお、本実施例では、付加情報データの要求がない場合には、可動物データは配信しないものとしたが、付加情報データの配信を行うことなく、可動物データの配信を行うようにしてもよい。
【００５１】
ステップＳ１２０において、付加情報の表示が可である場合には、広告表示の可否を判断する（ステップＳ１３０）。広告表示が可であれば、通信料金のディスカウント処理を実行する（ステップＳ１４０）。ここでは、ディスカウント処理に先立ち、図示しないユーザの認証が行われる。広告表示が不可である場合には、ディスカウント処理を実行せずに、次のステップ１５０に進む。
【００５２】
次に、有料情報の要否を判断する（ステップＳ１５０）。有料情報が要求されている場合には、課金処理を実行する（ステップＳ１６０）。先述した認証処理がまだなされていない場合、課金処理に先立ち、ユーザの認証が行われる。有料情報が要求されていない場合には、課金処理を実行せずに、次のステップＳ１７０に進む。
【００５３】
次に、要求された付加情報に応じて可動物データの抽出（ステップＳ１７０）、および付加情報データの抽出（ステップＳ１８０）を行う。そして、固定物データを参照して可動物データの表示位置を決定する（ステップＳ１９０）。例えば、車両（ナビゲーション装置２００）の移動とともに可動物が固定物に隠れずに、また、視野から外れずに表示されるように、表示位置を決定する。そして、上述したステップで抽出された固定物データ、可動物データ、付加情報データを配信する（ステップＳ２００）。
【００５４】
本実施例の電子地図データには、固定物データの他に、可動物を３次元的に表すための可動物データと、付加情報データとが含まれる。３次元的に表示される電子地図において、固定物は、地図の閲覧者が最も着目するものであり、リアリティに大きな影響を及ぼす。これに対し、可動物は、一般に、固定物ほどリアリティに影響を及ぼさない。つまり、３次元的に表示される電子地図において、現実と異なる可動物が表示されたとしても、地図のリアリティを損ねない。本発明では、この可動物の少なくとも一部と一体化された状態で、付加情報が提供される。こうすることによって、電子地図データの閲覧者に対して、リアリティを損ねることなく、視覚的に付加情報の提供を行うことができる。
【００５５】
Ｅ．第２実施例：
第１実施例では、地図配信サーバ１００からナビゲーション装置２００へ電子地図データを配信した。第２実施例では、ナビゲーション装置２００Ａが予め電子地図データを保持している。
【００５６】
図６は、第２実施例のナビゲーションシステム１０００Ａ（ナビゲーション装置２００Ａ）の構成を示す説明図である。ナビゲーション装置２００Ａは、第１実施例のナビゲーション装置２００と同様に、表示パネル２１０と、操作パネル２２０と、制御ユニット２３０Ａとを備えている。
【００５７】
制御ユニット２３０Ａは、ＣＰＵ、ＲＡＭ、ＲＯＭ等を備えるマイクロコンピュータとして構成されており、第１実施例における制御ユニット２３０の構成の他に、電子地図データ記憶部２３６と、電子地図データ参照部２３７と、経路探索部２３８とを備えている。これらの各機能ブロックは、ソフトウェア的に構成されている。
【００５８】
電子地図データ記憶部２３６は、ＣＤ−ＲＯＭや、ＤＶＤ−ＲＯＭなどの記録媒体によって提供される電子地図データを記憶している。この電子地図データには、上述した固定物データ、可動物データ、付加データや、経路探索に用いられる通路データが含まれる。通路データには、いわゆるリンクデータ、ノードデータ、コストデータが含まれる。電子地図データ参照部２３７は、電子地図データ記憶部２３６に記憶されている電子地図データを参照する。経路探索部２３８は、周知のダイクストラ法によって、通路データを用いて現在地あるいは出発地から目的地までの経路探索を行う。
【００５９】
第２実施例のナビゲーション装置２００Ａは、電子地図データを保持しているので、地図配信サーバ１００と通信を行わなくても、電子地図データの閲覧者に対して、リアリティを損ねることなく、視覚的に付加情報の提供を行うことができる。ただし、第１実施例のナビゲーションシステム１０００では、常に最新の電子地図データを利用することができる点で利用性か高い。
【００６０】
Ｆ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【００６１】
Ｆ１．変形例１：
上記実施例では、経路探索における出発地を、ナビゲーション装置２００が備える現在位置検出部２３３が検出した地点としたが、目的地と同様に、ユーザが操作パネル２２０やリモコン２２５の操作によって入力するようにしてもよい。
【００６２】
また、上記実施例では、現在位置検出部２３３は、ＧＰＳアンテナが受信する人工衛星からの電波に基づいて現在位置を検出するものとしたが、ＤＧＰＳ（ディファレンシャルＧＰＳ）を利用した方法や、携帯電話、ＰＨＳ等の無線基地局の電波を利用した方法や、ジャイロセンサを利用もしくは併用した方法などによって現在位置を検出するものとしてもよい。
【００６３】
Ｆ２．変形例２：
上記実施例では、ナビゲーション装置２００側で、付加情報の表示の可否を選択できるものとしたが、この選択をできないものとしてもよい。この場合、ナビゲーション装置２００には、常時、可動物データおよび付加情報データが提供される。
【００６４】
Ｆ３．変形例３：
上記第１実施例では、地図配信サーバ１００が固定物データと、可動物データと、付加情報データとを配信するものとしたが、これに限られない。本発明は、一般に、地図表示装置において利用される電子地図データが、固定物データと、可動物データと、付加情報データとを備えていればよい。従って、例えば、ナビゲーション装置２００が予め可動物データを保持しており、地図配信サーバ１００は、固定物データと付加情報データとを配信するようにしてもよい。
【００６５】
Ｆ４．変形例４：
上記実施例では、本発明を車両に搭載される、いわゆるカーナビゲーション装置に適用した場合について説明したが、これに限られない。例えば、電子地図の表示を行うことが可能なパーソナルコンピュータや、携帯情報端末や、携帯用のナビゲーション装置や、携帯電話に適用することも可能である。
【符号の説明】
【００６６】
１００…地図配信サーバ
１１０…制御部
１２０…通信部
１３０…固定物データ記憶部
１４０…可動物データ記憶部
１５０…付加情報データ記憶部
１６０…経路データ記憶部
２００、２００Ａ…ナビゲーション装置
２１０…表示パネル
２２０…操作パネル
２２５…リモート・コントローラ（リモコン）
２３０、２３０Ａ…制御ユニット
２３１…制御部
２３２…通信部
２３３…現在地検出部
２３４…コマンド入力部
２３５…表示制御部
２３６…電子地図データ記憶部
２３７…電子地図データ参照部
２３８…経路探索部
１０００、１０００Ａ…ナビゲーションシステム
【図１】
2010286496.tif 000003
【図２】
2010286496.tif 000004
【図３】
2010286496.tif 000005
【図４】
2010286496.tif 000006
【図５】
2010286496.tif 000007
【図６】
2010286496.tif 000008
【図７】
2010286496.tif 000009
【図８】
2010286496.tif 000010
【図９】
2010286496.tif 000011
【図１０】
2010286496.tif 000012